(57)【要約】【課題】取り付け部位の厚みを増すことなく、かつ形成したダメージが進行しても一定範囲を超えて拡大することがなく、さらに取り付けが容易である継ぎ当て用パッチを提供すること。  【解決手段】継ぎ当て用パッチであって、繊維織物として形成された布片を有し、当該布片の表面に繊維を切断若しくは摩耗させたダメージ部を形成し、前記布片の裏面又は表面の外周囲に、加熱によって接着効果を生じる接着成分を塗布した接着部を設け、前記接着部によって前記ダメージ部の拡大防止と他の布生地に対する接着を行うように構成したこと。 【選択図】図１
2013231260.tif 000002
【特許請求の範囲】
【請求項１】
繊維織物として形成された布片を有し、
当該布片の表面に繊維を切断若しくは摩耗させたダメージ部を形成し、
前記布片の裏面又は表面の外周囲に、加熱によって接着効果を生じる接着成分を塗布した接着部を設け、
前記接着部によって前記ダメージ部の拡大防止と他の布生地に対する接着を行うように構成した継ぎ当て用パッチ。
【発明の詳細な説明】
【技術分野】
【０００１】
本発明は、継ぎ当て用パッチに関するものである。
【背景技術】
【０００２】
ジーンズ等のデニムを使用した衣類は古着状の風合いが好まれることが多く、新製品の段階から染色された生地を局部的に薄くしたり擦り切れた様なダメージを与えるなどの加工が行われている。このように形成されたダメージ部は着用を重ねることによって損傷が進行し、最終的には縦糸、横糸ともに切断に至り穴が開くことになる。
この様な穴を補修する当て布として特許文献１記載のダメージ加工様あて布がある。当該あて布は、明細書の段落００１６に記載されているように、矩形布地の周囲を残して切り抜いて略中央に開口部を矩形に開口し、額縁状に形成された布地部位の当該開口部を塞ぐようによこ糸がすだれ状に走っているダメージ加工様当て布であり、よこ糸の両端部は開口部の相対する両側における布地部位の位置にて一本ずつ縫着して固定されているものである。そして、当該当て布を穴あき部分の裏側から縫着するというものである。
【先行技術文献】
【特許文献】
【０００３】
【特許文献１】特開２００８−２８０６５５号公報
【発明の概要】
【発明が解決しようとする課題】
【０００４】
上記先行技術文献記載のあて布は、開口を有する額縁状の布地を形成した後に、別途よこ糸をすだれ状に取り付けたものである。そして、額縁状に形成された布地に対して縫い付けることで、穴あき部分によこ糸をすだれ状に設けたものである。
しかしながら、ダメージ状のデザインは、染色された生地が摩耗によって薄くなったり、着用によって糸が切れたり解れたりする範囲が徐々に進行して古着感を醸し出すものである。したがって当初からよこ糸だけで形成したダメージ部というのは、糸が切れて穴の開く直前の状態であるからデザインとしての表現に限りがある。また、額縁状に形成された布地部位によこ糸を載せて縫製するなどの方法で取り付けなくてはならず、額縁状に形成された布地部位の厚みが増し取り付けた母材の柔軟性も喪失させてしまう。
【０００５】
本発明は、上記課題に鑑み発明されたものであって、取り付け部位の厚みを増すことなく、かつ形成したダメージが進行しても一定範囲を超えて拡大することがなく、さらに取り付けが容易である継ぎ当て用パッチを提供することを課題とするものである。
【課題を解決するための手段】
【０００６】
上記課題を解決するために本発明は以下の構成を有する。すなわち、  
繊維織物として形成された布片を有し、
当該布片の表面に繊維を切断若しくは摩耗させたダメージ部を形成し、
前記布片の裏面又は表面の外周囲に、加熱によって接着効果を生じる接着成分を塗布した接着部を設け、
前記接着部によって前記ダメージ部の拡大防止と他の布生地に対する取り付けを行うように構成した継ぎ当て用パッチ。
【発明の効果】
【０００７】
本発明に係るパッチは、額縁状に形成された布地に別途ダメージ部を取り付けた当て布とは異なり、取付部とダメージ部を一枚の布地として形成したものである。したがって、ダメージ部を有しているにもかかわらず布地としての柔軟性を損なうことがないという効果を有している。また、パッチに形成したダメージ部の周囲に接着剤を塗布することによって、ジーンズ等の母材に対する取り付け部を構成するとともに、パッチのダメージ部および母材のダメージを拡大させない効果を有している。さらに、当該接着剤による母材との取付部分は薄い接着膜で形成されるので、パッチの取り付けによって母材が有する柔軟性や風合いを損わないという効果を有している。
【図面の簡単な説明】
【０００８】
【図１】図１は本発明に係る継ぎ当て用パッチ説明図である。
【図２】図２は本発明に係る継ぎ当て用パッチの接着部を表した説明図である。
【図３】図３は本発明に係る取付部５の領域を模式的に示した説明図である。
【発明を実施するための形態】
【０００９】
以下、本発明の一実施の形態を図を用いて説明する。
図１は、本発明に係る継ぎ当て用パッチ（以下「パッチ」という）１の説明図であり、同図中円形Ｓ１で示した部分は、パッチ１表面を一部拡大して表した拡大図である。
パッチ１は、一例としてジーンズの生地として使用されるデニムで形成された織物であり、１０cm四方の矩形状に形成された布片である。外形形状は最適な形状として矩形形状に形成されているが、円形、楕円形その他不規則な形状でもよく、必要に応じて使用者が自由な形状に裁断して使用しても差し支えのないものである。
【００１０】
パッチ１は織物であるので、縦糸２に対して横糸３を織り交ぜたものである。生地の織り方には種々の織り方があり、ジーンズ用のデニム生地の場合には藍色に染色された糸を縦糸に使用し、縦糸が表面に多く表出するようなパターンで横糸３を織り込むことで生地表面が藍色を示し、反対に裏面は未染色の横糸３が多く表出することで薄い藍色を示すようになっている。図２は、詳細には後述するダメージ部を形成する以前の布片１を表した説明図であり、同図中円形Ｓ２で示した部分は、加工前のパッチ１表面を一部拡大して表した拡大図である。
上記構成のデニム生地で形成されたパッチ１の表面をヤスリ、研磨器具、刃物類によって傷付けると、横糸３よりも縦糸２が表面に多く存在しているので、主に縦糸２が損傷したダメージ部４が形成される。そして、当該縦糸２の摩耗等によって染色された藍色が色落ちし、強く損傷させた場合には切断される。なお、パッチ１の表面にダメージ部４を形成する場合には、なるべく横糸３が切断されないようにするのが好ましい。
また、パッチ１の表面に形成するダメージ部４は、図１に示すように一カ所のみに形成しても良いし、複数箇所に分けて形成してもよい。
【００１１】
図１に示したパッチ１は、矩形に形成したデニム生地の中央部に前述した手法によりダメージ部４を形成したものである。パッチ１の外周囲の所定幅には、ダメージ加工を行わない若しくは軽度のダメージ加工を行った領域が形成されており、穴の開いたジーンズ等に取り付ける際に使用する取付部５となっている。取付部５の領域を模式的に示すと図３のようになり、主となるダメージ部４を取り囲むようにパッチ１の外周部に取付部５が設けられている。
当該取付部５の表面には、所謂アイロン接着と称されているアイロンを用いた加熱によって接着効果を発揮する加熱接着剤が塗布されている。当該取付部５に塗布された加熱接着剤は、塗布時にパッチ１を形成する縦糸２と横糸３の繊維表面に付着し、縦糸２と横糸３を結合させる作用を有するとともに、ジーンズ等に取り付ける際にはアイロンによる加熱によってパッチ１をジーンズの生地に接着させる作用を有している。
【００１２】
パッチ１は、ジーンズの穴の開いた部位の裏面に貼り付けるのがよく、穴の開いた部位からパッチ１のダメージ部４が表出するように取り付けることができる。すなわち、加熱接着剤が塗布されたパッチ１の表面側を、ジーンズ生地裏面の穴の開いた部分の周囲に接合させて加熱することで、穴の開いた部分からダメージ部４が表出するようにパッチ１を取り付けることができるようになっている。
なお、パッチ１の裏面に接着部を設け、ジーンズ生地表面の穴の開いた部分の周囲に取り付けるように構成しても差し支えがないものである。
【００１３】
接着剤が塗布された取付部５は、ジーンズ等に対する接着部を構成する他、パッチ１自体のダメージを拡大させない効果も有している。
パッチ１は、パッチ１を所定の外形形状に裁断した後にダメージ加工をする場合の他、大きな生地にダメージ加工を行った後に所定の形状に切り抜くことによっても形成することができる。後者の場合には、取付部５となる部分もダメージを有しているので、生地としての腰も弱くなる。しかし、取付部５に相当する箇所に、加熱接着剤を塗布することによってダメージを受けていても塗膜によって補強され、さらにジーンズ等に対して接着されることによって形成したダメージが取付部５を超えて広がるのを防止する。また、これにより、パッチ１を貼り付けたジーンズ等の母材も補強することになり、一定以上に母材のダメージが拡大するのを防止するようになっている。
【００１４】
本発明に係るパッチ１は、別体として形成した取付部とダメージ形成部材を結合させたものではなく、ダメージを形成した生地によってパッチを形成したものである。したがって、新たにダメージ部を取り付けることによって肉厚が増すこともなく、柔軟性を失うこともない。
また、取付部５に塗布した接着剤によってパッチ１に形成したダメージ部４が拡大しないようになっており、取り付けた母材が有しているダメージの拡大も防止することができるようになっている。
さらに、本発明に係るパッチは、アイロンを使用して加熱しながら押圧することで、縫製によることなく簡単に取り付けることができるものとなっている。
【産業上の利用可能性】
【００１５】
本発明は、古着風のデザインとして形成されたダメージ部の補修に使用する継ぎ当て用パッチに利用可能である。
【符号の説明】
【００１６】
１  パッチ
２  縦糸
３  横糸
４  ダメージ部
５  取付部
【図１】
2013231260.tif 000003
【図２】
2013231260.tif 000004
【図３】
2013231260.tif 000005